(57)【要約】【課題】  コルセットなどに多用されているボーンに着目し、これを腹巻にうまく適合させることによって、腹巻としての保温性や機能性を損なうことなく、装着中の捲れやずれ落ちを確実に防止する。【解決手段】  腹巻本体１１の上下方向の略中央部の横方向ラインＬと上端縁１１ａとの間に、少なくとも２本以上のボーン１２が横方向に所定の間隔を存して上下方向に沿って取り付けられている。このボーン１２は背中側に設けられており、ボーン１２の下端部１２ａの位置である横方向ラインＬは、腹巻本体１１を腹部に装着したときのウエストラインにほぼ一致する位置とする。【選択図】 図１
2006274498.tif 000002
【特許請求の範囲】
【請求項１】
腹部に装着して使用する腹巻であって、腹巻本体の上下方向略中央部の横方向ラインと上端縁との間に、少なくとも２本以上のボーンが横方向に所定の間隔を存して上下方向に沿って取り付けられていることを特徴とする腹巻。
【請求項２】
前記ボーンは、背中側に設けられていることを特徴とする請求項１に記載の腹巻。
【請求項３】
前記ボーンの下端部位置である前記横方向ラインは、腹巻本体を腹部に装着したときのウエストラインにほぼ一致する位置である請求項２に記載の腹巻。
【発明の詳細な説明】
【技術分野】
【０００１】
本発明は、腹部に装着して使用する腹巻に係り、より詳細には、装着中の捲れやずれ落ちを防止した腹巻に関する。
【背景技術】
【０００２】
従来から、腹巻に関連する発明は種々提案されている。
【０００３】
例えば、特許文献１には、姿勢を正して歩行を楽するために、腰に当たる部分に弾力のあるボードを付着させた健康器具としての腹巻が記載されている。また、特許文献２には、ベルト部材の略中央部に有クッション性の枕状弾性腰パッド部材を備えた腹巻が記載されている。さらに、特許文献３には、帯体の中央部分に超音波振動子が固着され、これらの超音波振動子に発振電力を供給する発振電源回路が固着された腹巻が記載されている。この他にも、電気腹巻（特許文献４）や発汗吸湿作用を有する腹巻（特許文献５）など、種々の機能を有する腹巻が提案されている。
【０００４】
一方、腹部に装着して使用するのは同じであるが、腹部の保温を目的とする腹巻とは異なり、姿勢の矯正や腰の保護を目的としたコルセットも種々提案されている。このようなコルセットでは、通常、装着時の腰部を安定させるために、コルセット本体の上端縁から下端縁までに至るボーンが、胴周りに多数設けられている。
【特許文献１】特開２０００−０４２０１５号公報
【特許文献２】特開平０９−２２４９６６号公報
【特許文献３】特開平０７−１４５５０１号公報
【特許文献４】特開２００２−３０９４１３号公報
【特許文献５】特開平０８−１１３８０３号公報
【発明の開示】
【発明が解決しようとする課題】
【０００５】
このように、従来提案されている腹巻は、腹巻自体の改良といった観点ではなく、これに新たな機能を付加することが主体となっている。
【０００６】
一方、従来の腹巻は、単に腹巻自体の収縮性のみによって腹部に密着させる構造であるため、装着中に腹巻の上端部が捲れたり、ずれ落ちたりするといった問題があったが、この点に関する改良については、従来ほとんど考慮されていないのが現状である。
【０００７】
一方、このような捲れやずれ落ち防止策としては、上記したコルセットのように、腹部をより強く締め付けることである程度可能であるが、腹巻の目的はあくまで腹部の保温であり、コルセットのように締め付けが強過ぎるのは腹巻として不適当である。また、腹巻は、保温とともに動き易さといった機能性も重要視されるが、コルセットの目的は腹巻とは全く逆の腰部の安定であり、その目的のためにボーンが入れられている。
【０００８】
本発明は上記した腹巻の有する現状の問題点を考慮して創案されたもので、その目的は、コルセットなどに多用されているボーンに着目し、これを腹巻にうまく適合させることによって、腹巻としての保温性や機能性を損なうことなく、装着中の捲れやずれ落ちを確実に防止し得る構造の腹巻を提供することにある。
【課題を解決するための手段】
【０００９】
上記課題を解決するため、本発明の腹巻は、腹巻本体の上下方向略中央部の横方向ラインと上端縁との間に、少なくとも２本以上のボーンが横方向に所定の間隔を存して上下方向に沿って取り付けられていることを特徴とする。ここで、前記ボーンは、具体的には背中側に設けられており、前記ボーンの下端部位置である前記横方向ラインは、腹巻本体を腹部に装着したときのウエストラインにほぼ一致する位置となるように設けられている。
【００１０】
すなわち、本発明の腹巻の特徴は、ボーンをコルセットのように矯正機能として使用するのではなく、捲れやずれ落ちを防止するものとして使用している点であり、かつ、機能性を損なうことのないようにその配置位置や配置長さを考慮した点である。
【００１１】
腹巻は、どのような体形の人にも安定的に装着できるようになっている必要がある。その観点からすると、やせている人と太っている人の胴部分の体形に共通しているのは、腹部側ではなく背中側であり、背中から腰の部分を経由して臀部までに至るラインが、ウエストライン付近でくびれていることである。
【００１２】
本発明はこの点に着目してボーンを配置している。すなわち、ボーンは背中側に設けられており、ボーンの下端部位置は、腹巻本体を腹部に装着したときのウエストラインにほぼ一致する位置となるように設けられている。これにより、胴部に装着している腹巻が下方にずれそうになっても、ボーンの下端部がウエストラインのくびれ部分に当接し、臀部側へずれ落ちるのが防止されることになる。また、ボーンは背中側にのみ設けられており、かつ、ウエストラインまでであるため、例えば前屈等を行う場合でも、ボーンが邪魔になることはない。すなわち、腹巻としての機能性は十分に保たれている。また、ボーンは腹巻の上端縁まで配置されているので、腹巻本体の上端部、特に背面側の上端部が捲れるといった不具合も発生しない。
【発明の効果】
【００１３】
本発明の腹巻は、上記のように構成したので、上端部の捲れや、装着している腹巻自体のずれ落ちを確実に防止することができる。
【発明を実施するための最良の形態】
【００１４】
以下、本発明の実施の形態について、図面を参照して説明する。
【００１５】
図１は、本実施形態の腹巻１を示しており、（ａ）は斜視図、（ｂ）は背面図である。
【００１６】
本実施形態の腹巻１は、全体が伸縮性を有する素材からなり、筒形状に形成されている。このような腹巻の素材としては、従来のコルセットやガードルと同じ素材のものを使用してもよいし、従来の腹巻のように毛糸を使用してもよい。すなわち、毛糸で編み上げた腹巻にも本発明を適用することが可能である。
【００１７】
この腹巻１は、筒形状に形成された腹巻本体１１と、腹巻本体１１の上下方向略中央部の横方向ラインＬと上端縁１１ａとの間に、少なくとも２本以上（本実施形態では３本）のボーン１２が、横方向に所定の間隔を存して、上下方向に沿って取り付けられている。
【００１８】
このボーン１２は、背中側に設けられている。具体的には、背中の中央部に１本設けられており、この中央部の１本を介して左右対称位置に１本ずつ、計３本設けられている。ただし、ボーン１２は、少なくとも２本設けられていればよい。２本設ける場合には、背中の中央部の１本を除去した配置位置となる。また、４本以上設けてもよいが、腹巻としての装着感や動き易さといった機能性を考慮すると、ボーンの数はあまり増やさない方がよい。本実施形態の３本程度が最適な本数である。
【００１９】
また、このボーン１２の下端部１２ａの位置、すなわち、横方向ラインＬの位置は、図２に示すように、腹巻本体１１を腹部に装着したときのウエストラインＷＬにほぼ一致する位置とする。
【００２０】
図３（ａ），（ｂ）に示すように、やせている人と太っている人の胴部分の体形に共通しているのは、背中３１から腰の部分３２を経由して臀部３３までに至るラインが、ウエストラインＷＬ付近でくびれていることである。従って、ボーン１２の下端部１２ａの位置は、腹巻本体１１を腹部に装着したときのウエストラインＷＬにほぼ一致する位置となるように設けられている。
【００２１】
これにより、胴部に装着している腹巻が下方にずれそうになっても、ボーン１２の下端部１２ａがウエストラインＷＬのくびれ部分に当接し、臀部３３側へずれ落ちるのが防止されることになる。また、ボーン１２は背中側にのみ設けられており、かつ、ウエストラインＷＬまでであるため、例えば前屈等を行う場合でも、ボーン１２が邪魔になることはない。
【００２２】
なお、上記実施形態では、腹巻本体１１が最初から筒形状のものを例示しているが、例えば図４に示すように、腹巻本体１１は、腹部に巻き付けて装着する全体が横長の帯状に形成されており、この腹巻本体１１の左右両側部に係止手段（両面テープ等）５２が設けられた構造であってもよい。すなわち、この係止手段５２で係止することで、図１に示すような筒形状の腹巻とする構造であってもよい。
【図面の簡単な説明】
【００２３】
【図１】本発明の一実施形態に係る腹巻を示しており、（ａ）は斜視図、（ｂ）は背面図である。
【図２】腹巻を腰部に装着した状態を示す背面図である。
【図３】腹巻を腹部に装着した状態を示す側面図である。
【図４】本発明の他の実施形態に係る腹巻を示しており、（ａ）は正面図、（ｂ）は斜視図である。
【符号の説明】
【００２４】
１  腹巻
１１  腹巻本体
１１ａ  上端部
１２  ボーン
１２ａ  下端部
Ｌ  横方向ライン
ＷＬウエストライン
【図１】
2006274498.tif 000003
【図２】
2006274498.tif 000004
【図３】
2006274498.tif 000005
【図４】
2006274498.tif 000006